【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
画像を表示する表示手段と、
前記表示手段に照射する照射光を出力する光出力手段と、
前記表示手段の背面側に設けられ、入射される光の強度を検出する光検出手段と、
前記光出力手段が前記照射光を照射していない間に前記光検出手段が検出した光の強度に基づいて、前記表示手段に入射する外光の強度を特定する外光強度特定手段と、
前記外光の強度が外光判定閾値以下であり、かつ前記光出力手段が前記照射光を照射している間に前記光検出手段が検出した検出光の強度が、前記外光判定閾値より大きい検出光判定閾値以下である場合に、第１補正方法を用いて前記照射光の強度を補正し、前記外光の強度が前記外光判定閾値より大きいか、または前記光出力手段が前記照射光を照射している間に前記光検出手段が検出した検出光の強度が前記検出光判定閾値より大きい場合に、前記照射光の強度を補正しないか、又は前記第１補正方法と異なる第２補正方法を用いて前記照射光の強度を補正する補正手段と、
を有することを特徴とする表示装置。
【請求項２】
前記外光の強度が外光判定閾値以下であり、かつ前記光出力手段が前記照射光を照射している間に前記光検出手段が検出した前記検出光の強度が前記検出光判定閾値より大きい場合に、所定の通知を行い、前記検出光の強度が前記検出光判定閾値以下である場合に、前記所定の通知を行わない制御手段をさらに備えることを特徴とする、
請求項１に記載の表示装置。
【請求項３】
前記補正手段は、前記第２補正方法を用いて前記照射光の強度を補正する場合に、前記光検出手段の感度を変更した状態において前記光検出手段が検出した光の強度に基づいて、前記照射光の強度を補正することを特徴とする、
請求項１又は２に記載の表示装置。
【請求項４】
前記光検出手段は、異なる位置に設けられた複数の光センサを有し、
前記補正手段は、前記第２補正方法を用いて前記照射光の強度を補正する場合に、前記外光の強度の特定に用いる前記光センサを変更した後の前記光検出手段が検出した光の強度に基づいて、前記照射光の強度を補正することを特徴とする、
請求項１から３のいずれか１項に記載の表示装置。
【請求項５】
前記光出力手段が出力する前記照射光の強度を推定する推定手段をさらに有し、
前記補正手段は、前記第２補正方法を用いて前記照射光の強度を補正する場合に、前記推定手段における前記照射光の強度の推定値に基づいて、前記光出力手段が出力する前記照射光の強度を補正することを特徴とする、
請求項１から４のいずれか１に記載の表示装置。
【請求項６】
前記光出力手段は、前記表示手段の複数の領域に前記照射光を出力する複数の光源を有し、
前記光検出手段は、前記複数の光源が出力する照射光を検出する複数の光センサを有し、
前記外光強度特定手段は、前記複数の光センサが検出した光の強度に基づいて、前記複数の領域それぞれにおける前記外光の強度を特定し、
前記補正手段は、前記外光強度特定手段が特定した前記複数の領域それぞれにおける前記外光の強度と前記外光判定閾値との関係に基づいて、前記複数の光源のそれぞれが出力する前記照射光の強度を補正することを特徴とする、
請求項１から５のいずれか１項に記載の表示装置。
【請求項７】
前記光出力手段は、前記複数の光源から選択された光源から前記照射光を出力し、
前記光検出手段は、前記複数の光センサのうち、前記選択された光源に対応する光センサにより、前記光源が前記照射光を出力している間に入射される光の強度を検出し、
前記補正手段は、前記外光の強度が外光判定閾値以下である場合に、前記光検出手段が検出した光の強度から前記外光の強度を減算することにより特定した前記照射光の強度と目標値との比較結果に基づいて補正することを特徴とする、
請求項６に記載の表示装置。
【請求項８】
画像を表示する表示手段と、
前記表示手段に照射する照射光を出力する光出力手段と、
前記表示手段の背面側に設けられ、入射される光の強度を検出する光検出手段と、
前記光出力手段が前記照射光を照射していない間に前記光検出手段が検出した光の強度に基づいて、前記表示手段に入射する外光の強度を特定する外光強度特定手段と、
前記外光の強度が外光判定閾値以下であり、かつ前記光出力手段が前記照射光を照射している間に前記光検出手段が検出した検出光の強度が、前記外光判定閾値より大きい検出光判定閾値より大きい場合に、所定の通知を行うように制御し、そうでない場合には前記所定の通知を行わないように制御する制御手段と、
を有することを特徴とする表示装置。
【請求項９】
前記制御手段は、前記表示手段に所定の表示を行わせることで、前記所定の通知を行うことを特徴とする
請求項８に記載の表示装置。
【請求項１０】
画像を表示する表示手段に光出力手段が照射光を照射していない間に、前記表示手段の背面側に設けられ、入射される光の強度を検出する光検出手段が検出した光の強度に基づいて、前記表示手段に入射する外光の強度を特定するステップと、
前記外光の強度が外光判定閾値以下であり、かつ前記表示手段に前記光出力手段が前記照射光を照射している間に前記光検出手段が検出した検出光の強度が、前記外光判定閾値より大きい検出光判定閾値以下である場合に、第１補正方法を用いて前記照射光の強度を補正するステップと、
前記外光の強度が前記外光判定閾値より大きいか、または前記光出力手段が前記照射光を照射している間に前記光検出手段が検出した検出光の強度が前記検出光判定閾値より大きい場合に、前記照射光の強度を補正しないか、又は前記第１補正方法と異なる第２補正方法を用いて前記照射光の強度を補正するステップと、
を有することを特徴とする照射光制御方法。
【請求項１１】
画像を表示する表示手段に光出力手段が照射光を照射していない間に、前記表示手段の背面側に設けられ、入射される光の強度を検出する光検出手段が検出した光の強度に基づいて、前記表示手段に入射する外光の強度を特定するステップと、
前記外光の強度が外光判定閾値以下であり、かつ前記表示手段に前記光出力手段が前記照射光を照射している間に前記光検出手段が検出した検出光の強度が、前記外光判定閾値より大きい検出光判定閾値より大きい場合に、所定の通知を行うように制御し、そうでない場合には前記所定の通知を行わないように制御するステップと、
を有することを特徴とする照射光制御方法。
【手続補正２】
【補正対象書類名】明細書
【補正対象項目名】０００８
【補正方法】変更
【補正の内容】
【０００８】
本発明の表示装置は、画像を表示する表示手段と、前記表示手段に照射する照射光を出力する光出力手段と、前記表示手段の背面側に設けられ、入射される光の強度を検出する光検出手段と、前記光出力手段が前記照射光を照射していない間に前記光検出手段が検出した光の強度に基づいて、前記表示手段に入射する外光の強度を特定する外光強度特定手段と、前記外光の強度が外光判定閾値以下であり、かつ前記光出力手段が前記照射光を照射している間に前記光検出手段が検出した検出光の強度が、前記外光判定閾値より大きい検出光判定閾値以下である場合に、第１補正方法を用いて前記照射光の強度を補正し、前記外光の強度が前記外光判定閾値より大きいか、または前記光出力手段が前記照射光を照射している間に前記光検出手段が検出した検出光の強度が前記検出光判定閾値より大きい場合に、前記照射光の強度を補正しないか、又は前記第１補正方法と異なる第２補正方法を用いて前記照射光の強度を補正する補正手段と、を有することを特徴とする。
【手続補正３】
【補正対象書類名】明細書
【補正対象項目名】０００９
【補正方法】変更
【補正の内容】
【０００９】
本発明の表示装置は、画像を表示する表示手段と、前記表示手段に照射する照射光を出力する光出力手段と、前記表示手段の背面側に設けられ、入射される光の強度を検出する光検出手段と、前記光出力手段が前記照射光を照射していない間に前記光検出手段が検出した光の強度に基づいて、前記表示手段に入射する外光の強度を特定する外光強度特定手段と、前記外光の強度が外光判定閾値以下であり、かつ前記光出力手段が前記照射光を照射している間に前記光検出手段が検出した検出光の強度が、前記外光判定閾値より大きい検出光判定閾値より大きい場合に、所定の通知を行うように制御し、そうでない場合には前記所定の通知を行わないように制御する制御手段と、を有することを特徴とする。